(57)【要約】      （修正有）【課題】フィンガーフードの入れ易さを維持しつつ、サービス面及び衛生面の向上を実現し、一旦入れたフィンガーフードが転がり出るのを防ぎ得る紙製組立容器を提供する。【解決手段】後側壁０１０５から延在した蓋０１０６を有し、前側壁０１０１は、左右の側壁０１０３、０１０４と略全高さで接続され、後側壁０１０５は、左右の側壁０１０３、０１０４と、組立後に折り曲げ線を介して密接する折り畳み領域０１０９、０１１０を介して接続され、かつ折り畳み領域０１０９、０１１０は、後側壁０１０５とは面接続され、左右の側壁０１０３、０１０４とは辺接続され、組立前の状態では、蓋０１０６の上面と後側壁０１０５の外側を容器載置面Ｄに伏せた状態で折り畳み領域０１０９、０１１０間にて開口０１１１が形成されるように構成されている。【選択図】図１Ｄ
0003229439.tif 000002
【実用新案登録請求の範囲】
【請求項１】
容器背面側の側壁から延在した蓋を有する紙製組立容器であって、
容器前面側の側壁は、容器左右の側壁と略全高さで接続されており、
容器背面側の側壁は、容器左右の側壁と、組立後に折り曲げ線を介して密接する部分片を介して接続され、かつこの部分片は、容器背面側の側壁とは面接続され、容器左右の側壁とは辺接続され、
組立前の状態では、蓋の上面と容器背面側の側壁の外側を容器載置面に伏せた状態で前記容器左右の側壁側に接続されている部分片間にて開口が形成されるように構成されている紙製組立容器。
【請求項２】
折り曲げ線は、エンボス加工、ミシン目加工、スリット加工のいずれか一以上によって形成されている請求項１に記載の紙製組立容器。
【請求項３】
前記容器背面側の側壁と、前記蓋とは、その境界線が、エンボス加工、ミシン目加工、スリット加工のいずれか一以上によって形成されている請求項１又は請求項２に記載の紙製組立容器。
【請求項４】
前記蓋は、蓋本体面と、蓋前折面とからなり、蓋前折面は、容器前面側の側壁上部の壁面に沿うように差し込み可能となっており、蓋本体面と、蓋前折面との境界線は、エンボス加工、ミシン目加工、スリット加工のいずれか一以上によって形成されている請求項１から請求項３のいずれか一に記載の紙製組立容器。
【請求項５】
閉止した際に前記蓋の蓋前折面と沿う前記容器前面側の側壁上部の壁面は舌片を有し、前記蓋の蓋前折面は前記舌片を挿抜可能な係止切込を有する請求項４に記載の紙製組立容器。
【請求項６】
前記部分片は、折り曲げ線を介して線対称である請求項１から請求項５のいずれか一に記載の紙製組立容器。
【請求項７】
前記部分片間にて構成される開口を構成する部分片の辺は、開口中心に対して凹Ｒとなる曲線で構成されている請求項１から請求項６のいずれか一に記載の紙製組立容器。
【考案の詳細な説明】
【技術分野】
【０００１】
本考案は、コンビニエンスストアー等の店舗で販売される唐揚げやフライドポテト等のフィンガーフードを収納するための紙製組立容器に関するものである。
【背景技術】
【０００２】
上記した紙製組立容器は、一枚のシート状の紙を折り曲げることによって形成されており、例えば、図４に示すように、容器正面側の前側壁０４０１と、容器底面０４０２と、左右の側壁０４０３，０４０４と、容器背面側の後側壁０４０５と、この後側壁０４０５から延在した蓋０４０６を有したものが知られている。
【０００３】
この紙製組立容器において、容器底面０４０２と前側壁０４０１、容器底面０４０２と左側壁０４０３、容器底面０４０２と右側壁０４０４、容器底面０４０２と後側壁０４０５は、いずれも折り目を介して連なっており、左側壁０４０３の前側壁０４０１側の端部に折り目を介して設けられた貼着片０４０３ａを前側壁０４０１の左端部に貼り付けると共に、右側壁０４０４の前側壁０４０１側の端部に折り目を介して設けられた貼着片０４０４ａを前側壁０４０１の右端部に貼り付けることで、前側壁０４０１側にコの字状の囲み領域が形成されるようになっている。
【０００４】
一方、後側壁０４０５の左端側及び左側壁０４０３の後端側の間には、連続した接続領域である折り畳み領域０４０９が各側壁との折り目を介して配置され、これと同様に、後側壁０４０５の右端側及び右側壁０４０４の後端側の間にも、連続した接続領域である折り畳み領域０４１０が各側壁との折り目を介して配置されている。これらの折り畳み領域０４０９，０４１０は、上記のように前側壁０４０１側にコの字状の囲み領域を形成する段階において、左右の側壁０４０３，０４０４とそれぞれ一体となって立ち上がるようになっている。
【０００５】
この場合、左右の折り畳み領域０４０９，０４１０の各央部には図４に破線で示す央部折り目がそれぞれ設けられており、折り畳み領域０４０９，０４１０は、後側壁０４０５を立ち上げて容器後部を組み上げる段階において、央部折り目を容器内側から見て山折りにすると共に、前記各折り目を容器内側から見て谷折りにして容器内側に折り畳まれるようになっている。
【０００６】
このような構成の紙製組立容器では、容器の前側壁０４０１側におけるコの字状の囲み領域内に唐揚げやフライドポテト等のフィンガーフードｆを入れた後、左右の側壁０４０３，０４０４と一体となって立ち上がっている折り畳み領域０４０９，０４１０をそれぞれ容器内側に折り畳みつつ、容器底面０４０２に対して後側壁０４０５を立ち上げて、最後に蓋０４０６を閉じることで組み立てが完了する。
【０００７】
つまり、この紙製組立容器では、前側壁０４０１側にコの字状の囲み領域が形成されている容器内に唐揚げやフライドポテト等のフィンガーフード（図４に二点鎖線で示す）を入れる段階において、容器を載置した面ｄ上の容器底面０４０２に対して後側壁０４０５が略同一平面を成していると共に、左右の側壁０４０３，０４０４と一体となって立ち上がっている左右の折り畳み領域０４０９，０４１０間が大きく開くようにしているので、フィンガーフードが入れ易いものとなっている。
【０００８】
その一方で、この紙製組立容器では、フィンガーフードが入れ易い反面、容器底面０４０２に対して後側壁０４０５が略同一平面を成しているので、一旦容器内に盛られたフィンガーフードが崩れたり、図４に白抜き矢印に示すようにして容器内に入れたフィンガーフードが容器内に盛られたフィンガーフードで跳ね返ったりして、図４に矢印で示すように、大きく開いた左右の折り畳み領域０４０９，０４１０の間から後側壁０４０５側に転がり出てしまうことが頻繁に起こり得る。
【０００９】
加えて、この紙製組立容器では、容器内に唐揚げやフライドポテト等のフィンガーフードｆを入れてから、左右の折り畳み領域０４０９，０４１０をそれぞれ内側に折り畳みつつ容器底面０４０２に対して後側壁０４０５を立ち上げるので、この作業に不慣れな場合には多くの手間がかかってしまい、サービスの低下を招き兼ねない。
また、左右の折り畳み領域０４０９，０４１０をそれぞれ内側に折り畳んだり、容器底面０４０２に対して後側壁０４０５を立ち上げたりする際には、容器の内外の面に触れざるを得ないことから、衛生面で難がある。
【００１０】
従来において、このような欠点を補い得る手段が講じられた紙製組立容器としては、例えば、特許文献１に記載された容器があり、この紙製組立容器は、図５に示すように、容器正面側の前側壁０５０１と、容器底面０５０２と、左右の側壁０５０３，０５０４と、容器背面側の後側壁０５０５と、前側壁０５０１及び後側壁０５０５からそれぞれ延在した合わせ蓋０５０６を有している。
【００１１】
この紙製組立容器において、前側壁０５０１と左側壁０５０３との間、及び、前側壁０５０１と右側壁０５０４との間には、連続した接続領域である折り畳み領域０５０７，０５０８が各側壁との折り目を介して配置され、これと同様に、後側壁０５０５と左側壁０５０３との間、及び、後側壁０５０５と右側壁０５０４との間にも、連続した接続領域である折り畳み領域０５０９，０５１０が各側壁との折り目を介して配置されている。すなわち、容器の四隅に折り畳み領域０５０７，０５０８，０５０９，０５１０が配置されている。
【００１２】
これらの折り畳み領域０５０７，０５０８，０５０９，０５１０の各央部には、央部折り目Ｌａがそれぞれ設けられており、折り畳み領域０５０７，０５０８，０５０９，０５１０は、前後の側壁０５０１，０５０５及び左右の側壁０５０３，０５０４をそれぞれ立ち上げて容器を組み上げる段階において、央部折り目Ｌａを容器内側から見て山折りにすると共に、前記各折り目を容器内側から見て谷折りにして容器内側に折り畳まれるようになっている。
【００１３】
そして、この紙製組立容器では、左右の側壁０５０３，０５０４をそれぞれ立ち上げた状態において、前側壁０５０１の左右に位置する折り畳み領域０５０７，０５０８の各前側壁０５０１側部分をそれぞれ前側壁０５０１に糊付けすることで、前側壁０５０１の半立ち上がり状態が保持されるようになっており、これと同様に、後側壁０５０５の左右に位置する折り畳み領域０５０９，０５１０の各後側壁０５０５側部分をそれぞれ後側壁０５０５に糊付けすることで、後側壁０５０５の半立ち上がり状態も保持されるようになっている。
【００１４】
この紙製組立容器では、容器内に唐揚げやフライドポテト等のフィンガーフード（図５に二点鎖線で示す）を入れる段階において、前側壁０５０１及び後側壁０５０５がそれぞれ半立ち上がり状態で保持されているので、前側壁０５０１の左右に位置する折り畳み領域０５０７，０５０８の間や、後側壁０５０５の左右に位置する折り畳み領域０５０９，０５１０の間を通してフィンガーフードを入れ易いものとなっている。
【００１５】
そして、容器内に唐揚げやフライドポテト等のフィンガーフードを入れた後は、半立ち上がり状態にある前側壁０５０１及び後側壁０５０５を互いに引き寄せて、合わせ蓋０５０６を閉じることで組み立てが完了するので、組み立てるまでの手間が少なくて済むうえ、容器の内外の面に触れることも少なく抑えられ、その結果、サービス面及び衛生面でいずれも向上したものとなっている。
【先行技術文献】
【特許文献】
【００１６】
【特許文献１】実開昭55-16243号公報
【考案の概要】
【考案が解決しようとする課題】
【００１７】
しかしながら、上記した特許文献１に記載された紙製組立容器では、サービス面及び衛生面をいずれも向上させることができるものの、前側壁０５０１及び後側壁０５０５がいずれも半立ち上がり状態で保持されているので、例えば、半立ち上がり状態の後側壁０５０５の左右に位置する折り畳み領域０５０９，０５１０の間から、図５に白抜き矢印に示すようにして容器内にフィンガーフードを入れる場合、フィンガーフードに勢いがついていると、この図５に矢印で示すように、前側壁０５０１の左右に位置する折り畳み領域０５０７，０５０８の間を通って後側壁０５０５と同じく半立ち上がり状態にある前側壁０５０１を乗り越えて転がり出てしまう可能性があるという問題を有しており、これを解決することが従来の課題となっていた。
【００１８】
本考案は、上記した従来の課題に着目して成されたもので、フィンガーフードの入れ易さを維持しながら、サービス面及び衛生面の向上を実現したうえで、一旦入れたフィンガーフードが転がり出るのを防ぐことが可能である紙製組立容器を提供することを目的としている。
【課題を解決するための手段】
【００１９】
上記した目標を達成するために、第一の考案は、容器背面側の側壁から延在した蓋を有する紙製組立容器であって、容器前面側の側壁は、容器左右の側壁と略全高さで接続されており、容器背面側の側壁は、容器左右の側壁と、組立後に折り曲げ線を介して密接する部分片を介して接続され、かつこの部分片は、容器背面側の側壁とは面接続され、容器左右の側壁とは辺接続され、組立前の状態では、蓋の上面と容器背面側の側壁の外側を容器載置面に伏せた状態で前記容器左右の側壁側に接続されている部分片間にて開口が形成されるように構成されている紙製組立容器を提供する。
【００２０】
第二の考案において、第一の考案を基本として、折り曲げ線は、エンボス加工、ミシン目加工、スリット加工のいずれか一以上によって形成されている構成の紙製組立容器を提供する。
【００２１】
第三の考案において、第一の考案又は第二の考案を基本として、前記容器背面側の側壁と、前記蓋とは、その境界線が、エンボス加工、ミシン目加工、スリット加工のいずれか一以上によって形成されている構成の紙製組立容器を提供する。
【００２２】
第四の考案において、第一の考案〜第三の考案を基本として、前記蓋は、蓋本体面と、蓋前折面とからなり、蓋前折面は、容器前面側の側壁上部の壁面に沿うように差し込み可能となっており、蓋本体面と、蓋前折面との境界線は、エンボス加工、ミシン目加工、スリット加工のいずれか一以上によって形成されている構成の紙製組立容器を提供する。
【００２３】
第五の考案において、第四の考案を基本として、閉止した際に前記蓋の蓋前折面と沿う前記容器前面側の側壁上部の壁面は舌片を有し、前記蓋の蓋前折面は前記舌片を挿抜可能な係止切込を有する構成の紙製組立容器を提供する。
【００２４】
第六の考案において、第一の考案〜第五の考案を基本として、前記部分片は、折り曲げ線を介して線対称である構成の紙製組立容器を提供する。
【００２５】
第七の考案において、第一の考案〜第六の考案を基本として、前記部分片間にて構成される開口を構成する部分片の辺は、開口中心に対して凹Ｒとなる曲線で構成されている紙製組立容器を提供する。
【考案の効果】
【００２６】
本考案に係る紙製組立容器は、フィンガーフードの入れ易さを維持したまま、サービス面及び衛生面の向上を実現でき、加えて、一旦入れたフィンガーフードが容器外へ転がり出るのを防ぐことが可能であるという効果を奏する。
【図面の簡単な説明】
【００２７】
【図１Ａ】実施例１の組立後の紙製組立容器において蓋を半割して閉じた状態及び開けた状態を併せて示す全体斜視図
【図１Ｂ】実施例１のシートを折り曲げて形成される紙製組立容器の展開図
【図１Ｃ】実施例１の組立前における折り畳んだ状態の紙製組立容器を示す部分斜視図
【図１Ｄ】実施例１の半組立状態の紙製組立容器にフィンガーフードを入れる状況を示す全体斜視図
【図２Ａ】実施例２の半組立状態の紙製組立容器を示す全体斜視図
【図２Ｂ】実施例２の組立後の蓋を閉じた状態の紙製組立容器を示す部分斜視図
【図３Ａ】実施例３のシートを折り曲げて形成される紙製組立容器の展開図
【図３Ｂ】実施例３の半組立状態の紙製組立容器を示す全体斜視図
【図４】従来における半組立状態の紙製組立容器にフィンガーフードを入れる状況を示す全体斜視図
【図５】従来における他の半組立状態の紙製組立容器にフィンガーフードを入れる状況を示す全体斜視図
【考案を実施するための形態】
【００２８】
以下に本考案の実施例を説明する。実施例１は主に請求項１〜４，６、実施例２は主に請求項５、実施例３は主に請求項７について説明している。なお、本考案はこれらの実施例に限定されるものではなく、その要旨を逸脱しない範囲において、種々なる態様で実施し得る。
≪実施例１≫
【００２９】
＜概要＞
本実施例の紙製組立容器は、唐揚げやフライドポテト等のフィンガーフードを収容するのに好適な容器であり、組立時における操作を減らして、スピーディーで且つ容器内側への接触を少なく抑えた組み立てが可能であり、フィンガーフードの収容時において、入れ易さは従来通りとしながら、一旦入れたフィンガーフードが出難くしてあることを特徴としている。
【００３０】
＜構成＞
図１Ａに示すように、本実施例の紙製組立容器０１００は、唐揚げやフライドポテト等のフィンガーフードを収容するのに好適な容器であって、容器正面である前側壁０１０１，フィンガーフードを載置する容器底面０１０２，前側壁０１０１と略同じ高さ寸法の容器側面である左側壁０１０３，同じく前側壁０１０１と略同じ高さ寸法の容器側面である右側壁０１０４，前側壁０１０１と略同じ高さ寸法の容器背面である後側壁０１０５及びこの後側壁０１０５から延在する蓋０１０６を有しており、図１Ａでは、蓋０１０６を左右方向の中央で半割して容器のフィンガーフード取り出し口を閉じた状態及び開けた状態を併せて示している。
【００３１】
この紙製組立容器０１００に用いられる紙には、当然のことながら唐揚げやフライドポテト等のフィンガーフードを保持できるだけの強度（厚みや強さ（こわさ））が求められるほか、フィンガーフードが含んでいる油分や、フィンガーフードの熱に由来する水分で変質したり、溶けたり、化学反応をおこして有害化したりすることのないような、すなわち、フィンガーフードに変異を来さないような紙質が求められ、例えば、コート・ノーコートボールと言われる板紙を用いることができる。
【００３２】
この際、上記の条件を満たす限り、ビニールやニス等のコーティングを施した紙を用いてもよく、紙のサイズ及び形状は、収納するフィンガーフードの個数に応じて自由に設計することができる。
【００３３】
この紙製組立容器０１００は、上記の条件を満たす一枚のシート状の紙を折り曲げることによって形成されている。図１Ｂの展開図に示すように、前側壁０１０１，容器底面０１０２，後側壁０１０５及び蓋０１０６は直列に並べて配置されており、前側壁０１０１と容器底面０１０２、容器底面０１０２と後側壁０１０５、後側壁０１０５と蓋０１０６は、いずれも折り目Ｌを介して連なっている。
【００３４】
容器底面０１０２の左側縁には、容器側面である左側壁０１０３が折り目Ｌを介して連なっており、これと同様に、容器底面０１０２の右側縁には、容器側面である右側壁０１０４が折り目Ｌを介して連なっている。
【００３５】
上記左側壁０１０３及び右側壁０１０４の各前側壁０１０１側の端部には、折り目Ｌを介して貼着片０１０７，０１０８がそれぞれ設けられており、前側壁０１０１とともに左側壁０１０３及び右側壁０１０４を折り目Ｌでそれぞれ立ち上げた状態において、左右の貼着片０１０７，０１０８の各外面（図１Ｂ裏面）を前側壁０１０１の左右端部０１０１Ｌ，０１０１Ｒの各内面にそれぞれ貼り付けることで、前側壁０１０１側にコの字状の囲み領域が形成されるようになっている。
【００３６】
この場合、左右の貼着片０１０７，０１０８が貼り付けられる前側壁０１０１の左右の端部０１０１Ｌ，０１０１Ｒは、図１Ｃに示すように、容器外側からみて折れ目Ｌで谷折りされる三角片として形成されており、容器底面０１０２に対して前側壁０１０１を重ねるのに伴って、左右の側壁０１０３，０１０４を折り畳むことができるようになっている。
【００３７】
一方、後側壁０１０５の左端側及び左側壁０１０３の後端側の間には、連続した接続領域である折り畳み領域（部分片）０１０９が各側壁との折り目Ｌを介して配置され、これと同様に、後側壁０１０５の右端側及び右側壁０１０４の後端側の間にも、連続した接続領域である折り畳み領域（部分片）０１１０が各側壁との折り目Ｌを介して配置されている。すなわち、左右の側壁０１０３，０１０４と後側壁０１０５とは、折り畳み領域０１０９，０１１０を介して接続されている。
【００３８】
上記した折り目Ｌには、折り曲げを容易にするための加工として、エンボス加工が施されている。なお、折り曲げを容易にするための加工は、このエンボス加工に限定されるものではなく、ミシン目加工及びスリット加工のいずれかであってもよい。
【００３９】
この場合、左右の折り畳み領域０１０９，０１１０の各央部には央部折り目（折り曲げ線）Ｌ１がそれぞれ設けられており、折り畳み領域０１０９，０１１０の央部折り目Ｌ１で分けられる小片部は互いに線対称を成している。
【００４０】
これらの折り畳み領域０１０９，０１１０は、図１Ｃに示す組立前の折り畳み状態ではいずれも後側壁０１０５に重なっており、図１Ａに示す左右の側壁０１０３，０１０４及び後側壁０１０５をそれぞれ立ち上げて容器後部を組み上げる段階では、央部折り目Ｌ１を容器内側から見て山折りにすると共に、各折り目Ｌを容器内側から見て谷折りにして容器内側に折り畳まれて、央部折り目Ｌ１で分けられた小片部同士が互いに重なるようになっている。
【００４１】
この際、これらの折り畳み領域０１０９，０１１０の各後側壁０１０５側の小片部０１０９ａ，０１１０ａをそれぞれ後側壁０１０５の端部に面接続させる（図１Ｂに示すハッチング部分０１２０，０１２０同士を糊付けする）ことで、図１Ｄに示すように、後側壁０１０５の半立ち上がり状態を保持することができるようになっている。この実施例において、央部折り目Ｌ１にも、折り曲げを容易にするための加工として、エンボス加工が施されている。
【００４２】
そして、この紙製組立容器０１００において、後側壁０１０５の半立ち上がり状態（組立前の状態）では、蓋０１０６の上面及び容器背面側の後側壁０１０５の外側がいずれも容器を置く面（容器載置面）Ｄに対して伏せた状態となって、左右の側壁０１０３，０１０４に接続されている折り畳み領域０１０９，０１１０間に開口０１１１が形成されるようになっている。なお、「伏せた状態」とは、蓋０１０６の上面及び容器背面側の後側壁０１０５の外側がいずれも容器を置く面Ｄを臨む状態のことを言う。
【００４３】
また、蓋０１０６は、蓋本体面０１０６Ａと、この蓋本体面０１０６Ａの先端にエンボス加工が施された折り目Ｌを介して設けられた蓋前折面０１０６Ｂを有しており、フィンガーフードを入れた状態において、蓋前折面０１０６Ｂを前側壁０１０１上部の壁面に沿うように差し込んで上部壁面内側に重ね合わせることで、容器の取り出し口を閉塞するようになっている。
【００４４】
なお、図１Ａ〜図１Ｄにおける符号０１０３Ｓ，０１０４Ｓは、左右の側壁０１０３，０１０４の各上端にそれぞれ連なる抜け止めであり、前側壁０１０１上部の壁面に沿うように差し込んだ蓋０１０６の蓋前折面０１０６Ｂの抜けを防ぐ機能を有している。
【００４５】
このような構成の紙製組立容器０１００では、図１Ｃに示す組立前の折り畳み状態において、前側壁０１０１に重なっている左右の側壁０１０３，０１０４を矢印方向にそれぞれ開くと、これに伴って、容器底面０１０２に重なっている前側壁０１０１及び左右の側壁０１０３，０１０４がそれぞれ立ち上がって、図１Ｄに示すように、前側壁０１０１側にコの字状の囲み領域が形成される
【００４６】
この状態では、蓋０１０６の上面及び容器背面側の後側壁０１０５の外側がいずれも容器を置く面Ｄに対して伏せた状態となっており、左右の側壁０１０３，０１０４に接続されている折り畳み領域０１０９，０１１０間には開口０１１１が形成されている。
【００４７】
したがって、折り畳み領域０１０９，０１１０間に形成される開口０１１１から食物用スコップＳを用いてフィンガーフードＦを入れることができる。すなわち、この紙製組立容器０１００では、組立前の状態において、フィンガーフードＦが入れ易いものとなっている。
【００４８】
次いで、後側壁０１０５を立ち上げて、最後に、図１Ａに示すように、蓋０１０６の蓋前折面０１０６Ｂを前側壁０１０１上部の壁面に沿うように差し込んで上部壁面内側に重ね合わせて蓋０１０６を閉じることで組み立てが完了する。
【００４９】
この際、折り畳み領域０１０９，０１１０の後側壁０１０５側の小片部０１０９ａ，０１１０ａをそれぞれ後側壁０１０５の端部に糊付け（面接続）させることで、後側壁０１０５の半立ち上がり状態が保持されるようにしているので、最後の後側壁０１０５の立ち上げに際しては、後側壁０１０５に立ち上がる方向の力を加えるだけで、左右の折り畳み領域０１０９，０１１０の各折り畳み操作を必要とすることなく、簡単に行い得ることとなる。
【００５０】
つまり、容器内に唐揚げやフライドポテト等のフィンガーフードＦを入れてからの後側壁０１０５の立ち上げを容易に行い得るので、スピーディーで且つ容器内側への接触を少なく抑えた組み立てが成されることとなる。
【００５１】
この紙製組立容器０１００では、図１Ｄに示す組立前の状態において、後側壁０１０５が半立ち上がり状態で保持されているので、一旦容器内に盛られたフィンガーフードＦが崩れたり、食物用スコップＳを用いて入れたフィンガーフードＦが容器内に盛られたフィンガーフードＦで跳ね返ったりしたとしても、半立ち上がり状態の後側壁０１０５が障壁となって、フィンガーフードＦが容器外に転がり出てしまうのを阻止し得ることとなる。
【００５２】
また、この紙製組立容器０１００では、図１Ｄに示す組立前の状態において、左右の側壁０１０３，１０４と略同じ高さ寸法の前側壁０１０１が、左右の側壁０１０３，１０４とともにコの字状の囲み領域を形成しているので、食物用スコップＳを用いて容器内に入れたフィンガーフードＦに勢いがついていたとしても、前側壁０１０１側のコの字状の囲み領域が障壁となって、フィンガーフードＦが前側壁０１０１を乗り越えて容器外に転がり出てしまうのを阻止し得ることとなる。
【００５３】
＜効果＞
このように、本実施例の紙製組立容器０１００では、従来のフィンガーフードＦの入れ易さを維持しつつ、組立時における操作を減らすことでサービス面及び衛生面の向上をいずれも実現することができ、そのうえで、一旦容器内に入れたフィンガーフードＦが転がり出るのを防ぐことが可能である。
【００５４】
また、本実施例の紙製組立容器０１００では、左右の折り畳み領域０１０９，０１１０の各央部折り目（折り曲げ線）Ｌ１をエンボス加工によって形成しているうえ、折り畳み領域０１０９，０１１０の央部折り目Ｌ１で分けられる小片部が互いに線対称を成すようにしているので、左右の折り畳み領域０１０９，０１１０の各央部折り目Ｌ１での折り曲げを容易に行うことができる。
【００５５】
さらに、本実施例の紙製組立容器０１００では、後側壁０１０５と蓋０１０６との境界線である折り目Ｌをエンボス加工によって形成しているので、蓋０１０６の折り目Ｌでの折り曲げを容易に行うことができる。
【００５６】
さらにまた、本実施例の紙製組立容器０１００では、  蓋０１０６の蓋本体面０１０６Ａの先端にエンボス加工が施された折り目Ｌを介して設けた蓋前折面０１０６Ｂが、前側壁０１０１上部の壁面に沿うように差し込み可能となっているので、フィンガーフードＦの収納時において、容器の取り出し口を確実に閉塞することができる。
≪実施例２≫
【００５７】
＜概要＞
本実施例の紙製組立容器は、実施例１記載の紙製組立容器を基本とし、蓋で容器の取り出し口を閉塞した状態で蓋の蓋前折面と沿う容器前面側の側壁上端の壁面が舌片を有し、この舌片を挿抜可能な係止切込を蓋の蓋前折面が有している構成としたことを特徴とする。
すなわち、蓋で容器の取り出し口を閉塞する際に、前側壁上部の壁面の舌片を蓋の蓋前折面の係止切込に挿入することで、容器の取り出し口を閉塞する蓋の浮き上がりを防ぎ得ることとなる。
【００５８】
＜構成＞
図２Ａに示すように、本実施例の紙製組立容器０２００が上記した実施例１の紙製組立容器と相違するところは、容器正面である前側壁０２０１の上端における壁面の央部には舌片０２０１ａを設け、一方、蓋０２０６の蓋前折面０２０６Ｂの央部には係止切込０２０６ａを設けた点にあり、他の構成は実施例１の紙製組立容器と同じである。
【００５９】
本実施例の紙製組立容器０２００では、図２Ｂに部分的に示すように、蓋０２０６の蓋前折面０２０６Ｂを前側壁０２０１上端の壁面に沿うように差し込んで上端壁面内側に重ね合わせる際に、蓋０２０６の蓋前折面０２０６Ｂの係止切込０２０６ａに対して、前側壁０２０１の上端の舌片０２０１ａが挿抜可能に係止されるようになっている。
【００６０】
＜効果＞
したがって、本実施例の紙製組立容器０２００では、蓋０２０６で容器の取り出し口を閉塞した状態において、蓋０２０６の浮き上がりを防ぐことが可能である。
≪実施例３≫
【００６１】
＜概要＞
本実施例の紙製組立容器は、実施例２記載の紙製組立容器を基本とし、左右の側壁に接続されている折り畳み領域（部分片）間に形成される開口を構成する折り畳み領域の辺が、開口中心に対して凹Ｒとなる曲線で構成されていることを特徴とする。
本実施例の紙製組立容器では、互いに対向して開口を形成する折り畳み領域の各辺が凹Ｒとなる曲線を成している分だけ、折り畳み領域間により大きな開口が形成されるので、組立前の状態において、フィンガーフードがより一層入れ易いものとなる。
【００６２】
＜構成＞
図３Ａの展開図に示すように、本実施例の紙製組立容器０３００が上記した実施例２の紙製組立容器と相違するところは、左右の側壁０３０３，０３０４に接続されている折り畳み領域（部分片）０３０９，０３１０の互いに離間する方向を向く辺０３０９ａ，０３１０ａが、いずれも凹Ｒとなる曲線で構成されている点にあり、他の構成は実施例１の紙製組立容器と同じである。
【００６３】
すなわち、本実施例の紙製組立容器０３００では、図３Ｂに示す半組立状態において、左右の折り畳み領域０３０９，０３１０間の開口０３１１を形成する折り畳み領域０３０９，０３１０の各辺０３０９ａ，０３１０ａが、いずれも開口中心Ｏに対して凹Ｒとなる曲線で構成されており、左右の折り畳み領域０３０９，０３１０間には、間口Ｗ１の開口０３１１が形成される。
【００６４】
この際、図３Ａ及び図３Ｂにおいて仮想線で示すように、折り畳み領域０３０９，０３１０の各辺０３０９ａ，０３１０ａをいずれも直線で構成すると、間口Ｗ２（＜Ｗ１）の開口０３１１が形成される。
つまり、本実施例の紙製組立容器０３００では、折り畳み領域０３０９，０３１０の各辺０３０９ａ，０３１０ａをいずれも直線で構成した場合と比較して、大きな開口０３１１が形成されることとなる。
【００６５】
＜効果＞
本実施例の紙製組立容器０３００では、互いに対向して開口０３１１を形成する折り畳み領域０３０９，０３１０の各辺０３０９ａ，０３１０ａが凹Ｒとなる曲線を成している分だけ、折り畳み領域０３０９，０３１０間により大きな開口０３１１が形成されることから、組立前の状態において、フィンガーフードがより一層入れ易いものとなる。
【符号の説明】
【００６６】
０１００    紙製組立容器
０１０１    前側壁
０１０２    容器底面
０１０３，０１０４  左右の側壁
０１０５    後側壁
０１０６    蓋
０１０９，０１１０  折り畳み領域（部分片）
０１１１    開口
Ｄ          容器載置面
【図１Ａ】
0003229439.tif 000003
【図１Ｂ】
0003229439.tif 000004
【図１Ｃ】
0003229439.tif 000005
【図１Ｄ】
0003229439.tif 000006
【図２Ａ】
0003229439.tif 000007
【図２Ｂ】
0003229439.tif 000008
【図３Ａ】
0003229439.tif 000009
【図３Ｂ】
0003229439.tif 000010
【図４】
0003229439.tif 000011
【図５】
0003229439.tif 000012